(57)【要約】【課題】画像プリントの受付の際に、画像データに対する補正量を容易に入力できる受付技術を提供する。【解決手段】受付部２１は、顧客から複数の画像データを取得し、当該画像データを画像プリントするためのオーダを受付ける。画像特性取得部４１は、取得した画像データの画像特性を取得する。画像分類部４２は、画像特性取得部４１により取得された画像特性に基づき、画像データを一以上の集合に分類する。【選択図】図２
2010134194.tif 000002
【特許請求の範囲】
【請求項１】
顧客から複数の画像データを取得し、当該画像データを画像プリントするためのオーダを受付ける受付部と、
前記画像データの画像特性を取得する画像特性取得部と、
前記画像特性に基づき前記複数の画像データを一以上の集合に分類する画像分類部と、を備えたことを特徴とする受付装置。
【請求項２】
一の前記集合に属する前記画像データと当該集合に属さない前記画像データとを識別可能に表示する表示部を備えたことを特徴とする請求項１記載の受付装置。
【請求項３】
前記表示部は、前記一の集合に属する前記画像データ同士を近接させて表示することを特徴とする請求項２記載の受付装置。
【請求項４】
前記画像データに対する補正量を取得する補正量取得部と、
前記画像データに対して前記補正量を設定する補正量設定部と、を備え、
前記補正量設定部は、前記補正量取得部により一の前記画像データに対する前記補正量が取得された際に、当該一の画像データが属する前記集合に属する前記画像データに対して当該補正量を設定することを特徴とする請求項１から３いずれか一項に記載の受付装置。
【請求項５】
前記表示部は、前記補正量設定部により前記補正量が設定された前記画像データと前記補正量設定部により前記補正量が設定されていない前記画像データとを識別可能に表示することを特徴とする請求項４記載の受付装置。
【請求項６】
顧客から複数の画像データを取得し、当該画像データを画像プリントするためのオーダを受付ける受付ステップと、
前記画像データの画像特性を取得する画像特性取得ステップと、
前記画像特性に基づき前記複数の画像データを一以上の集合に分類する画像分類ステップと、を備えたことを特徴とする受付方法。
【発明の詳細な説明】
【技術分野】
【０００１】
本発明は、顧客から画像データを取得し、画像プリントを受け付ける受付技術に関する。特に、表示した画像データに対する補正量を入力することができる受付技術に関する。
【背景技術】
【０００２】
近年の写真処理機器の進歩に伴い、写真処理機器が小型化、低価格化している。そのため、自身の店舗にミニラボと称せられる写真処理機器を設置し、ミニラボで顧客からのオーダを処理する写真プリント店が増大している。これにより、顧客に写真プリントを引渡すまでの時間を短縮することで顧客の利便性を向上させると共に、独自性の高いプリント画像作り等により他店舗との差別化を図っている。
【０００３】
また、写真プリントのオーダを入力可能な受付装置を店舗に設置し、顧客自らが写真プリントのための画像データや写真プリントの枚数等のオーダ情報を入力可能にする店舗も増大している。このような受付装置を用いることで、店舗の省力化が図られている。
【０００４】
このような受付装置では、顧客自らが画像データに対する補正量を指定することが可能となっているものがある。しかしながら、近年のデジタルカメラ等の普及により、一度に受付を行う画像データの数が増大しており、一般の顧客が、各々の画像データに対して補正量を指定することは容易ではない。まして、全ての画像データに対して個別に補正量を指定することは、かなり困難である。
【０００５】
このような問題点を解決するために、様々な方法が検討されている。例えば、特許文献１の技術では、顧客のプリント履歴を顧客ごとに個別に管理し、顧客からプリント注文を受けた画像の中から再プリントの注文を受けた画像を再プリント対象画像として前記プリント履歴に基づいて検出し、前記再プリント対象画像に対して以前に行った画質補正と同じ画質補正が施されるように、前記プリント履歴に基づいて画質補正の項目と補正量を設定している。これにより、一度画質補正を行えば、その履歴に基づき補正量が決定されるため、以降の画像プリント時の補正量の指定を省くことができる。
【０００６】
また、特許文献２の技術では、複数の撮影画像のそれぞれについて顔領域の情報を含む１以上の特徴を抽出し、抽出された前記特徴の少なくとも１つに応じて前記複数の撮影画像をグループ化し、前記グループ化によって同一のグループとされた前記撮影画像に対して、抽出した前記特徴およびそのグループの種別に応じて、顔領域を適切な色濃度にするための補正量を算出し、算出された前記補正量によって当該グループの前記撮影画像を補正している。これにより、各々の画像に対して補正量を指定しなくとも、画像が特徴等に基づきグループ化され、グループ毎に同じ補正量が適用される。
【０００７】
【特許文献１】特開２００６−１０７２９１（段落番号０００７−０００８、図２３）
【特許文献２】特開２００７−８７２５３（段落番号０００７−０００８、００２１、図２）
【発明の開示】
【発明が解決しようとする課題】
【０００８】
上述したように、特許文献１または２の技術では、補正量指示の労力を低減することができるが、その補正が顧客の意図に合致しているとは限らない。したがって、顧客は決定された補正量が意図に合致しているか否かを確認する必要があり、画像データが多い場合には、非常に手間がかかる。また、特許文献２の技術では、画像データから取得された特徴に基づいて決定されたグループ毎に同じ補正量が適用されるが、同じグループに属する画像データを識別することはできないため、各画像データに適用された補正量を把握することはできず、全ての補正画像を確認しなければならない。
【０００９】
本発明の課題は、上記実状に鑑み、画像プリントの受付の際に、画像データに対する補正量を容易に入力できる受付技術を提供することである。
【課題を解決するための手段】
【００１０】
前記課題を解決するために、本発明の受付装置は、顧客から複数の画像データを取得し、当該画像データを画像プリントするためのオーダを受付ける受付部と、前記画像データの画像特性を取得する画像特性取得部と、前記画像特性に基づき前記複数の画像データを一以上の集合に分類する画像分類部と、を備えている。
【００１１】
この構成では、受付部により取得された画像データが各々の画像特性に応じて一以上の集合に分類されるため、以降の受付処理では、各集合に属する画像データ毎に一括した処理を行うことができる。
【００１２】
また、本発明の受付装置の好適な実施形態の一つでは、一の前記集合に属する前記画像データと当該集合に属さない前記画像データとを識別可能に表示する表示部を備えている。
【００１３】
この構成では、受け付けたオーダに係る画像データを一覧表示して顧客に提示する際に、一の集合に属する画像データと、その集合に属しない画像データとを識別可能に表示する。これにより、顧客は一覧表示画面において、いずれの画像データ同士が同じ集合に属しているかを把握することができる。上述のように、この集合は画像特性に基づき決定されているため、顧客は画像データに対する補正量を設定する際に、その画像データと同じ集合に属する他の画像データに対する補正量を参照する等ができる。
【００１４】
上述のような表示形態として、集合毎に近接させて表示させると、顧客は容易に各集合に属する画像データを把握できるため、好適である。そのため、本発明の受付装置の好適な実施形態の一つでは、前記表示部は、前記一の集合に属する前記画像データ同士を近接させて表示する。
【００１５】
また、本発明の受付装置の好適な実施形態の一つでは、前記画像データに対する補正量を取得する補正量取得部と、前記画像データに対して前記補正量を設定する補正量設定部と、を備え、前記補正量設定部は、前記補正量取得部により一の前記画像データに対する前記補正量が取得された際に、当該一の画像データが属する前記集合に属する前記画像データに対して当該補正量を設定する。
【００１６】
この構成では、顧客は一の画像データに対して補正量を設定するだけで、その画像データと同じ集合に属する画像データには同じ補正量が設定できるため、補正量を設定する労力を削減することができる。
【００１７】
上述のように、一の画像データに対して設定した補正量が他の画像データに対して適用される場合には、補正量が設定された画像データと補正量が設定されていない画像データとが識別できることが望ましい。そのため、本発明の受付装置では、前記表示部は、前記補正量設定部により前記補正量が設定された前記画像データと前記補正量設定部により前記補正量が設定されていない前記画像データとを識別可能に表示する。
【００１８】
上述した本発明による受付装置の技術的特徴は、受付方法にも適用可能である。例えば顧客から複数の画像データを取得し、当該画像データを画像プリントするためのオーダを受付ける受付ステップと、前記画像データの画像特性を取得する画像特性取得ステップと、前記画像特性に基づき前記複数の画像データを一以上の集合に分類する画像分類ステップと、を備えている。当然ながら、このような受付方法も上述した受付装置で述べた作用効果を得ることができ、さらに上述した付加的技術を組み込むことも可能である。
【発明を実施するための最良の形態】
【００１９】
以下に、本発明による受付装置を用いた受付システムの実施形態を図面に基づき説明する。図１は、本実施形態における受付システムＡの斜視図である。受付システムＡは、上部の受付装置ＡＵおよび下部の料金受領装置ＡＤから構成されている。受付装置ＡＵは、フラッシュメモリ等の半導体メモリからなる各種の半導体記録媒体から画像データを取得するための半導体ドライブ２、ＣＤ−Ｒ等のディスク型記録媒体から画像データを取得するディスクドライブ３、受付証Ｒをプリントし排出する受付証プリンタ４、カメラ付き携帯電話等の機器に接続し画像データを取得するコネクタ５、および各種の表示を行うと共に顧客からの入力を可能にするタッチパネル６を表示面に形成したディスプレイ７を備えている。
【００２０】
図２は、受付装置ＡＵの機能ブロック図である。受付装置ＡＵの本体１の内部には、顧客から画像データを取得すると共に各種受付処理を制御する受付制御部２０、受付制御部２０により取得された画像データを画像記録媒体３１に記録管理する画像管理部２４、受付制御部２０により取得された画像データの画像特性を取得する画像特性取得部４１、画像特性取得部４１により取得された画像特性に基づく画像データを一以上の集合に分類する画像分類部４２、画像データに対する補正量を取得する補正量取得部４３、画像データに対して補正量を設定する補正量設定部４４、設定された補正量に基づき画像データを補正する画像補正部２５、画像分類部４２による画像データの分類結果や補正量設定部４４により設定された補正量を始めとする各種処理結果を保持するメモリ３２、ディスプレイ７への出力およびタッチパネル６からの入力を制御するＧＵＩ部３３と、が備えられている。
【００２１】
本実施形態では、受付制御部２０、画像管理部２４、画像特性取得部４１、画像分類部４２、補正量取得部４３、補正量設定部４４、および画像補正部２５は、ソフトウェアにより構成されるが、ハードウェアにより構成してもよいし、ソフトウェアとハードウェアとが協働する構成としても構わない。
【００２２】
また、受付制御部２０には、顧客からのオーダ受付処理を行う受付部２１と、受付けたオーダを特定可能な情報（以下、オーダ特定情報と称する）を生成するオーダ特定情報生成部２２と、オーダ特定情報をはじめとする引渡時に必要となる情報をプリントした受付証Ｒを作成する受付証作成部２３と、が備えられている。
【００２３】
なお、本実施形態では、オーダ特定情報はオーダ毎に排他的に割り当てられた数字を用いるが、他の情報を用いても構わない。また、画像管理部２４により、各々の画像データにはコマ番号が付与されており、このコマ番号により画像データの識別を行っている。当然ながら、他の情報を用いて画像データを識別する構成としても構わない。
【００２４】
一方、料金受領装置ＡＤは、縦長姿勢のケース１０の上部位置に備えられ、硬貨を受領する硬貨投入孔１１Ａを備えた硬貨受領器１１、紙幣を受領する紙幣挿入孔１２Ａを備えた紙幣受領器１２、およびケース１０の下部位置に備えられ、釣銭を排出する釣銭排出口１３Ａを供えた釣銭排出器１３を備えている。
【００２５】
次に、図３のフローチャートを用いて、本発明の受付装置の処理の流れを説明する。受付装置Ａのディスプレイ７には、受付部２１により、初期画面として各種処理へ移行するためのメニューが表示されている。顧客は、タッチパネル６を操作してオーダの受付処理に移行させる。このとき、受付部２１は、ディスプレイ７に顧客に対する指示を表示している。顧客はその指示に従い、オーダに係る画像データおよび各種情報（以下、オーダ情報と総称する）を入力すると、オーダ特定情報生成部２２によりオーダ特定情報が生成され、入力された情報は受付部２１により取得される。
【００２６】
例えば、画像データが記録されている記録メディアを対応する半導体ドライブ２、ディスクドライブ３、コネクタ５のいずれかにセットし、画像データを受付装置ＡＵに読み込ませ、画像プリントする画像データを選択する。また、プリント枚数や顧客情報の入力等を行う。
【００２７】
また、受付部２１により取得された画像データは、画像管理部２４に送られ、オーダ特定情報に関連付けられて画像記録媒体３１に一時的に記録される（＃０１）。このとき、画像管理部２４は各々の画像データに対して連番のコマ番号を付与する。このとき、取得した画像データがサムネイル画像を含まないフォーマットの場合には、画像管理部２４によりサムネイル画像が作成され、画像データと関連付けて記録される。
【００２８】
オーダ情報の入力が完了すると、その旨が画像特性取得部４１に通知される。通知を受理した画像特性取得部４１は、画像管理部２４を介して画像記録媒体３１に記録されている画像データのうち、現在のオーダに係る画像データの画像特性を取得する（＃０２）。本実施形態では、画像特性として画像データに含まれている各種情報を使用する。例えば、ＥＸＩＦ（EXchangeable Image File）フォーマットには、撮影時のシャッター速度、レンズ絞り値、レンズの開放Ｆ値、フラッシュの有無、撮影対象物の明るさ等（以下、撮影情報と総称する）が記録されているため、これらを画像特性として取得することができる。当然ながら、色ヒストグラム等の公知の画像特徴量を算出して画像特性としても構わないし、撮影情報と画像特徴量とを併せて画像特性としても構わない。画像特性取得部４１により取得された画像特性は、コマ番号と関連付けられて画像分類部４２に送られる。
【００２９】
画像特性を取得した画像分類部４２は、画像特性に基づき画像データを一以上の集合に分類する（＃０３）。撮影情報を用いる場合には、一以上の撮影情報の項目を基準とし、その基準となる項目が一致する画像データが同じ集合に属するように分類を行う。例えば、フラッシュを発光した画像の集合とフラッシュを発光していない画像の集合、また、レンズの絞り値とレンズの開放Ｆ値のいずれもが同一の画像の集合等に分類することができる。なお、画像特徴量を用いる場合には、画像データを画像特徴により張られる多次元空間の点として表現し、主成分分析法等により低次元化した後、公知のクラスタリング手法等により分類することができる。画像分類部４２による分類結果は、メモリ３２に一時記憶される。また、画像データの分類が完了した旨が表示部４５に通知される。
【００３０】
画像データの分類が完了した旨を受理した表示部４５は、インデックス画面に移行する。まず、表示部４５は、画像管理部２４を介して、現在のオーダに係る画像データのサムネイル画像を取得し、ＧＵＩ部３３を介してディスプレイ７に表示させる（＃０４）。図４に示すように、本実施形態におけるインデックス画面５０は、各画像データのサムネイル画像を表示するためのサムネイル画像表示領域５１、各サムネイル画像表示領域５１に表示されるサムネイル画像に対応する画像データのコマ番号を表示するコマ番号表示領域５２、補正処理の完了を指示する補正完了ボタン５３、表示すべきサムネイル画像が複数ページにわたる場合にページを変更するページ変更ボタン５４（前ページボタン５４ａ、次ページボタン５４ｂ）を備えている。このとき、表示部４５は、サムネイル画像のコマ番号と表示位置とを関連付けて管理している。なお、本実施形態では、インデックス画面５０のサムネイル画像表示領域５１の数は３０となっているが、この数は当然ながら適宜変更可能である。
【００３１】
顧客は、タッチパネル６を操作して、インデックス画面５０に表示されているサムネイル画像から補正したい画像を選択する（＃０５のYes分岐）と、表示部４５は、補正画面に移行する。具体的には、表示部４５は以下の処理を行う。
【００３２】
まず、表示部４５は、メモリ３２から、選択されたサムネイル画像のコマ番号をキーとして、そのコマ番号の画像データと同じ集合に属する画像データのコマ番号を取得する（＃０６）。例えば、メモリ３２には図５に示すような分類結果が記憶されており、顧客によりコマ番号「４」のサムネイル画像が選択されたとすると、コマ番号「４」の画像データは集合ＩＤ「２」の集合に属している。したがって、集合ＩＤ「２」の集合に属するコマ番号「４，５，６，１０，１１，１２」が取得される。次に、表示部４５は、画像管理部２４を介して、取得したコマ番号の画像データのサムネイル画像を取得し（＃０７）、それらのサムネイル画像を補正画面に表示する（＃０８）。
【００３３】
図６は、本実施形態における補正画面６０である。図から明らかなように、補正画面６０は、各画像データのサムネイル画像を表示するためのサムネイル画像表示領域６１、各サムネイル画像表示領域６１に表示されるサムネイル画像に対応する画像データのコマ番号を表示するコマ番号表示領域６２、インデックス画面５０に戻るためのインデックス画面移行ボタン６３、表示すべきサムネイル画像が複数ページにわたる場合にページを変更するページ変更ボタン６４（前ページボタン６４ａ、次ページボタン６４ｂ）、各サムネイル画像が表す画像データに対する補正量を入力する補正量入力部６５が各々のサムネイル画像表示領域６１に対応するように備えられている。
【００３４】
また、各々の補正量入力部６５は、シアン（Ｃ）に対する補正量を入力するシアン補正量入力部６５Ｃ、マゼンタ（Ｍ）に対する補正量を入力するマゼンタ補正量入力部６５Ｍ、イエロー（Ｙ）に対する補正量を入力するイエロー補正量入力部６５Ｙ、濃度に対する補正量を入力する濃度補正量入力部６５Ｄから構成されている。なお、本実施形態では、シアン、マゼンタ、イエロー、濃度に対する補正量を入力する構成としたが、ＲＧＢ等、他の色空間における補正量を入力する構成としても構わないし、コントラスト等、他の補正量を入力する構成としても構わない。
【００３５】
上述の例では、インデックス画面５０においてコマ番号「４」のサムネイル画像が選択され、コマ番号「４」と同じ集合（集合ＩＤ＝２）に属するコマ番号として｛４，５，６，１０，１１，１２｝が取得されていた。そのため、図６に示すように、補正画面６０のサムネイル画像表示領域６１には、コマ番号｛４，５，６，１０，１１，１２｝のサムネイル画像が表示されている。
【００３６】
顧客は、補正したい画像データの下に配置されている補正量入力部６５に対してタッチパネル６を操作することにより、その画像データに対する補正量を入力することができる。例えば、顧客がコマ番号「４」の画像データに対してシアンの補正を行う場合には、以下の処理を行う。顧客がタッチパネル６を操作して、コマ番号「４」の下に配置されているシアン補正量入力部６５Ｃを選択すると、表示部４５は、ＧＵＩ部３３を介して、選択されたシアン補正量入力部６５Ｃの近傍にプルダウンメニューを表示させる。本実施形態では、プルダウンメニューには[−５，−４，−３，−２，−１，Ｎ，１，２，３，４，５]が表示されており、各数字は補正量を表し、「Ｎ」は補正なしを表している。顧客は、タッチパネル６を操作して、表示されたプルダウンメニューから所望の補正量を選択する。同時に、シアン補正量入力部６５Ｃには、選択された補正量が表示され、顧客に対して現在設定されている補正量を認知させている。このようにして、顧客が設定し補正量取得部４３により取得された補正量は、操作された補正量入力部６５に対応するコマ番号と対応付けられて、補正量設定部４４によりメモリ３２に記憶される。他の値を補正したい場合も同様の処理であるので、説明は省略する。図６では、コマ番号「４」の画像に対する補正量は｛１，２，Ｎ，−１｝となっている。なお、本実施形態では、シアン、マゼンタ、イエロー、濃度に対する補正量を集合｛シアン補正量、マゼンタ補正量、イエロー補正量、濃度補正量｝で表すものとする。
【００３７】
通常、同じ画像特性を持つ画像データに対して同じ補正を行うことが多いため、このように補正画面において同じ集合に属する画像データをまとめて表示すれば、顧客は補正量を入力する際に、同じ画像特性を有する画像データに対する補正量を参照しつつ補正量を入力できるため、好適である。
【００３８】
本発明では、さらに顧客が補正量を入力する手間を低減するために、一の画像データに対して入力された補正量を他の画像データに対して適用している。例えば、図６に示すように、コマ番号「４」の画像データに対して、補正量｛１，２，Ｎ，−１｝が入力されると（＃０９のYes分岐）、補正量取得部４３により入力された補正量が取得され、その補正量およびコマ番号「４」が補正量設定部４４に送られる。一方、補正量設定部４４は取得したコマ番号「４」をキーとして、メモリ３２からコマ番号「４」の画像データと同じ集合に属する画像データのコマ番号｛４，５，６，１０，１１，１２｝を取得し、これらのコマ番号の画像データに対する補正量を、取得した｛１，２，Ｎ，−１｝として設定する（＃１０）。補正量が設定されるとその旨が表示部４５に通知され、表示部４５は表示している各々のサムネイル画像が対応する画像データの補正量をメモリ３２から取得し、各々の補正量入力部６５の表示を更新する。同時に、画像補正部２５は、表示部４５から表示しているサムネイル画像のコマ番号を、メモリ３２からそのコマ番号に対応する補正量を、画像管理部２４からそのコマ番号に対応するサムネイル画像データを取得し、これらに基づき補正画像（プレビュー画像）を生成し、表示部４５に表示させる（＃１１）。図７は、更新後の補正画面６０を表しており、図から明らかなように、コマ番号「４」の画像データに対して入力した補正量が他のコマ番号の画像データにも適用されている。通常、同じ画像特性を持つ画像データに対しては同じ補正量を与えることが多いため、同じ集合に属する画像データには同じ補正量を適用することにより、個別に補正量を入力する手間を削減している。なお、この処理（＃０９から＃１０）は必須ではなく、顧客が各々の画像データに対して補正量を入力する構成としても構わないし、この処理後に各々の画像データに対して補正量を修正する構成としても構わない。
【００３９】
また、補正画面６０において、インデックス画面移行ボタン６３が押下されると（＃１２のYes分岐）、表示部４５は再度インデックス画面５０を表示する（＃０４）。このとき、既に補正量が設定された画像データと補正量が設定されていない画像データとを識別可能に表示すると、顧客は次に補正量を設定すべき画像データを特定しやすくなる。例えば、図８のインデックス画面５０では、既に補正量が設定された画像データのコマ番号を反転表示することにより、未設定の画像データと識別可能にしている。また、図９に示すように、設定済みの画像データを非表示とすることもできる。この場合には、補正量が設定済みの画像データを表示するための全画像表示ボタン５５を備えている。補正量が設定された画像データと補正量が設定されていない画像データとを識別可能に表示する方法はこれに限定されるものではなく、サムネイル画像の周囲にマーキングをする、補正量が設定された画像データと設定されていない画像データとを別ページに表示する等、種々の構成が可能である。
【００４０】
顧客がインデックス画面５０において補正完了ボタン５３を押下すると（＃１３のYes分岐）補正量の入力が完了する。全ての受付処理が完了すると、ディスプレイ７に料金が表示され、顧客は料金受領装置ＡＤを用いて支払い処理を行う。その後、受付証作成部２３により、画像プリントを顧客に引渡す際に必要な情報が作成され、受付証プリンタ４はそれらの情報を受付証Ｒにプリントし顧客に渡す。
【００４１】
また、画像補正部２５により画像記録媒体３１に記録されている画像データに対する補正が行われる。具体的には、以下の処理が行われる。画像補正部２５は、画像管理部２４を介して、画像記録媒体３１から一の画像データをコマ番号と共に取得し、取得したコマ番号に対応する補正量をメモリ３２から取得する。取得した補正量を用いて画像データの補正を行い、再度画像記録媒体３１に記録する。
【００４２】
その後、上述のようにして補正された画像データが銀塩プリンタ（図示せず）等に送られ、プリントされた後、画像プリントとして顧客に引渡される。
【００４３】
〔別実施形態〕
（１）上述の実施形態では、インデックス画面でのサムネイル画像はコマ番号順に整列表示されていたが、例えば、インデックス画面においても、各サムネイル画像がいずれの集合に属するかを識別可能に表示すると、顧客は補正画面に移行する前に、同じ集合に属する画像データを把握できるため、好適である。このような表示形態として、例えば、図１０に示すように各集合に属する画像データ同士を近接させることができる。この図は、各画像データが図５の集合を形成している場合に、各集合に属する画像データ同士が隣接するようにサムネイル画像を配置している。まず、左上から集合ＩＤ「１」に属するコマ番号｛１，２，３，７，８，９｝の画像データに対応するサムネイル画像が配置され、以降集合ＩＤ「２，３，４，５，６」に属する画像データに対するサムネイル画像が順次配置されている。この際、各集合を構成する画像データに対応するサムネイル画像を内包する多角形を描いたり、属する集合が変化するサムネイル画像の間（例えば、コマ番号「９」と「４」の間や「１２」と「１３」の間）に区切り線等を表示すると、顧客が集合を知覚し易くなるため好適である。
【００４４】
（２）また、画像データを識別可能とする表示形態として、他の方法を用いることができる。例えば、各サムネイル画像の周囲に枠線を描画し、枠線の色等の描画形態を集合毎に異ならせることができる。集合ＩＤ「１」に属するコマ番号｛１，２，３，７，８，９｝の画像データに対応するサムネイル画像は「赤」の枠線、集合ＩＤ「２」に属するコマ番号｛４，５，６，１０，１１，１２｝の画像データに対応するサムネイル画像には「青」の枠線等を用いれば、顧客は容易に各画像データが属する集合を知覚することができる。
【００４５】
（３）さらに、上述のように各集合に属する画像データを識別可能に表示した状態で、顧客が各サムネイル画像が属する集合を変更可能な構成としても構わない。本発明では、画像特性に基づき集合が形成されるため、形成された集合が顧客の意図と合致しない場合がある。そのような場合には、顧客はタッチパネル６を操作して、属する集合を変更したいサムネイル画像を選択し、変更後の集合を指定する。図１１は、図１０と同様に各集合に属する画像データに対応するサムネイル画像が隣接するように配置した例であり、集合の区切りを表す区切り線５６が表示されている。この状態で、顧客はコマ番号「２３」の画像データが属する集合をコマ番号「２４」と同じ集合に変更したいとする。このとき、顧客は、タッチパネル６を操作してコマ番号「２３」の画像データに対応するサムネイル画像を選択し、コマ番号「２４」が属する集合を表示している位置（例えば、コマ番号「１９」と「２４」の間）にドラッグアンドドロップ操作を行う。この状態が図１２に示されている。この操作による集合の変更は、ＧＵＩ部３３を介して画像分類部４２に通知され、メモリ３２上の集合情報が変更される。なお、集合の変更方法はこれに限定されるものではなく、他の方法を用いても構わない。このように、顧客が各画像データが属する集合を変更可能に構成すると、顧客の補正意図が的確に反映できるため、好適である。
【００４６】
（４）上述の実施形態では、インデックス画面と補正画面を備える構成としたが、インデックス画面のみを備え、インデックス画面において補正量を入力可能と構成としても構わない。この場合には、上述のように各集合に属する画像データを識別可能に表示してもよいし、補正量を入力する一の画像が顧客により選択された際に、その一の画像と同じ集合に属する画像データと他の画像とを識別可能に表示する構成としても構わない。
【図面の簡単な説明】
【００４７】
【図１】本発明の実施形態における受付装置の斜視図
【図２】本発明の実施形態における受付装置の機能要素を表す機能ブロック図
【図３】本発明の実施形態における受付装置の処理の流れを表すフローチャート
【図４】本発明の実施形態におけるインデックス画面を表す図
【図５】本発明の実施形態におけるメモリに記憶されている分類結果を表す図
【図６】本発明の実施形態における補正画面を表す図
【図７】本発明の実施形態における補正量入力後の補正画面を表す図
【図８】本発明の実施形態におけるインデックス画面において補正量設定済み画像を識別可能に表示した状態を表す図
【図９】本発明の実施形態におけるインデックス画面において補正量設定済み画像を識別可能に表示した状態を表す図
【図１０】本発明の実施形態におけるインデックス画面において各画像データが属する集合を識別可能に表示した状態を表す図
【図１１】本発明の実施形態におけるインデックス画面において画像データが属する集合を変更する前の状態を表す図
【図１２】本発明の実施形態におけるインデックス画面において画像データが属する集合を変更した後の状態を表す図
【符号の説明】
【００４８】
Ａ：受付システム
ＡＵ：受付装置
２０：受付制御部
２１：受付部
２２：オーダ特定情報生成部
２３：受付証作成部
２４：画像管理部
２５：画像補正部
３１：画像記録媒体
４１：画像特性取得部
４２：画像分類部
４３：補正量取得部
４４：補正量設定部
４５：表示部
【図１】
2010134194.tif 000003
【図２】
2010134194.tif 000004
【図３】
2010134194.tif 000005
【図４】
2010134194.tif 000006
【図５】
2010134194.tif 000007
【図６】
2010134194.tif 000008
【図７】
2010134194.tif 000009
【図８】
2010134194.tif 000010
【図９】
2010134194.tif 000011
【図１０】
2010134194.tif 000012
【図１１】
2010134194.tif 000013
【図１２】
2010134194.tif 000014